(57)【要約】【課題】組立作業性が向上した閉鎖配電盤を得る。【解決手段】この発明に係る閉鎖配電盤は、盤本体用床板５、この盤本体用床板５の上に設けられ遮断器３が載置される遮断器用床板４、盤本体用床板５と遮断器用床板５との間に設けられ遮断器用床板５を一定の高さで保持した足部６、遮断器用床板５に取り付けられ遮断器３を移動させる遮断器挿入／引出し機構、及び遮断器用床板５と盤本体用床板５との間に設けられ負荷側導体を接地及び接地解除するアーシングスイッチ操作機構１１を含む配電盤本体２と、この一体化された配電盤本体２に組み付けて前記遮断器室が形成された筐体とを備えている。【選択図】図２
2006087202.tif 000002
【特許請求の範囲】
【請求項１】
遮断器室内に断路位置と接続位置との間に移動可能な遮断器が設けられる閉鎖配電盤であって、
盤本体用床板、この盤本体用床板の上に設けられ前記遮断器が載置される遮断器用床板、前記盤本体用床板と前記遮断器用床板との間に設けられ前記遮断器用床板を一定の高さで保持した足部、前記遮断器用床板に取り付けられ前記遮断器を移動させる遮断器挿入／引出し機構、及び前記遮断器用床板と前記盤本体用床板との間に設けられ負荷側導体を接地及び接地解除するアーシングスイッチ操作機構を含む配電盤本体と、
この一体化された配電盤本体に組み付けて前記遮断器室が形成された筐体と
を備えている閉鎖配電盤。
【請求項２】
前記足部の下端部は前記盤本体用床板に溶接により接合され、前記足部の上端部は前記遮断器用床板に溶接により接合されている請求項１に記載の閉鎖配電盤。
【請求項３】
前記筐体の側面板は、前記足部にリベットにより締結されている請求項１または２に記載の閉鎖配電盤。
【請求項４】
前記盤本体用床板は、前記筐体の底板を兼ねている請求項１ないし３の何れか１項に記載の閉鎖配電盤。
【発明の詳細な説明】
【技術分野】
【０００１】
この発明は、遮断器室内に断路位置と接続位置との間に移動可能な遮断器が設けられる閉鎖配電盤に関する。
【背景技術】
【０００２】
従来、遮断器が搭載される閉鎖配電盤を組み立てるには、先ず矩形状をした床板の両側端面に、それぞれ側面板を接合し、次に対向した一対の側面板に遮断器用床板を架設していた。その後、遮断器用床板に、遮断器用レール、移動操作用ハンドルを用いてレールに沿って遮断器を移動させる遮断器挿入／引出し機構、遮断器室扉ロックレバー等を取り付け、また遮断器用床板に、負荷側導体を接地、及び接地解除する接地開閉器であるアーシングスイッチ操作機構を取り付けていた（例えば、特許文献１参照）。
【０００３】
【特許文献１】特開２００１−１３６６１４号公報（図１、図２）
【発明の開示】
【発明が解決しようとする課題】
【０００４】
従来の閉鎖配電盤では、一対の側面板に遮断器用床板を架設した後に、挿入／引出し機構、アーシングスイッチ操作機構等を組み付けていたため、狭いスペースでの作業を強いられ、また無理な姿勢での組立作業となり、組立作業性が悪いという問題点があった。
【０００５】
この発明は、上記のような問題点を解決することを課題とするものであって、組立作業性が向上した閉鎖配電盤を得ることを目的とするものである。
【課題を解決するための手段】
【０００６】
この発明に係る閉鎖配電盤は、盤本体用床板、この盤本体用床板の上に設けられ前記遮断器が載置される遮断器用床板、前記盤本体用床板と前記遮断器用床板との間に設けられ前記遮断器用床板を一定の高さで保持した足部、前記遮断器用床板に取り付けられ前記遮断器を移動させる遮断器挿入／引出し機構、及び前記遮断器用床板と前記盤本体用床板との間に設けられ負荷側導体を接地及び接地解除するアーシングスイッチ操作機構を含む配電盤本体と、この一体化された配電盤本体に組み付けて前記遮断器室が形成された筐体とを備えている。
【発明の効果】
【０００７】
この発明に係る閉鎖配電盤によれば、筐体を組み立てる前に、広いスペースで遮断器用床板に遮断器挿入／引出し機構を取り付け、また遮断器用床板と盤本体用床板との間にアーシングスイッチ操作機構を設けることができ、組立作業性が向上する。
【発明を実施するための最良の形態】
【０００８】
以下、この発明の各実施の形態について図に基づいて説明するが、各図において、同一、または相当部材、部位については、同一符号を付して説明する。
実施の形態１．
図１はこの発明の実施の形態１の閉鎖配電盤を示す要部正面図（但し、正面扉は省略されている）、図２は図１の配電盤本体２を示す正面図、図３は図２の配電盤本体２のＩＩＩ−ＩＩＩ線に沿った矢視断面図である。
この閉鎖配電盤では、筐体１内の遮断器室内に断路位置と接続位置とに移動可能な遮断器３が収納される。
配電盤本体２では、盤本体用床板５に足部６が左右３本ずつ立設されて、遮断器３が載置される遮断器用床板４が一定の高さに保持されている。遮断器用床板４の上面には、遮断器３を移動、案内する対向した一対のレール７が延設されている。遮断器用床板４の正面扉側には、遮断器室扉ロックレバー８が設けられている。遮断器用床板４には、移動操作用ハンドル９を用いてレール７に沿って遮断器３を移動させる遮断器挿入／引出し機構１０が取り付けられている。
盤本体用床板５には、負荷側導体を接地及び接地解除する接地開閉器であるアーシングスイッチ操作機構１１が取り付けられている。
【０００９】
図４は図２の盤本体用床板５をＩＶ−ＩＶ線に沿って切断したときの矢視断面図であり、盤本体用床板５は、閉鎖配電盤の正面側及び背面側でＬの字形状に折曲されており、第１の床板部５ａと、この第１の床板部５ａの端面で溶接により接合された平板である第２の床板部５ｂとから構成されている。
図５は図４の足部６をＶ−Ｖ線に沿って切断したときの矢視断面図で、左側が閉鎖配電盤の正面側であり、足部６は、Ｌの字形状に折曲され、第１の片部６ａ及び第２の片部６ｂとから構成されている。この足部６は、第２の片部６ｂの下部が第２の床板部５ｂで溶接により接合されている。
また、足部６は、第２の片部６ｂの上部で遮断器用床板４と溶接により接合されている。
【００１０】
筐体１は、図１において、配電盤本体２の左右両側に取り付けられた側面板１２と、一対の側面板１２間に架設された背面板１３と、側面板１２、背面板１３の上部に設けられた天板（図示せず）とから構成されている。
【００１１】
図６は図１の側面板１２をＶＩ−ＶＩ線に沿って切断したときの矢視断面図であり、一対の側面板１２は、それぞれ閉鎖配電盤の正面側及び背面側でそれぞれコの字形状に折曲されている。この側面板１２の下部は足部６の第１の片部６ａとリベットにより締結されている。
また、側面板１２は、天板とリベットにより接合されている。
【００１２】
次に、上記構成の閉鎖配電盤の組み立て手順について説明する。
先ず、盤本体用床板５の左右３カ所に等分間隔で足部６の第２の片部６ｂの下部を溶接により接合する。また、遮断器用床板４の左右３カ所にも等分間隔で足部６の第２の片部６ｂの上部を溶接により接合する。
次に、盤本体用床板５に対して足部６により所定の高さに保持された遮断器用床板４に、レール７、遮断器室扉ロックレバー８、遮断器挿入／引出し機構１０、移動操作用ハンドル９等を組み付け、次に盤本体用床板５にアーシングスイッチ操作機構１１を組み付けることで、一体化された配電盤本体２が製造される。
その後、図１に示すように、配電盤本体２の左右両側に、両側面板１２を足部６の第１の片部６ａでリベットにより締結し、その後両側面板１２間に、背面板１３及び天板を架設して遮断器室を有する配電盤が製造される。
【００１３】
上記構成の閉鎖配電盤によれば、盤本体用床板５、この盤本体用床板５の上に設けられ遮断器３が載置される遮断器用床板４、盤本体用床板５に設けられ遮断器用床板４を一定の高さで保持した足部６、遮断器用床板４に取り付けられた遮断器挿入／引出し機構１０、及び遮断器用床板４と盤本体用床板５との間に設けられたアーシングスイッチ操作機構１１を含む配電盤本体２と、この一体化された配電盤本体２に組み付けて遮断器室が形成される筐体１とを備えているので、筐体１を組み立てる前に、広いスペースで遮断器用床板４に遮断器挿入／引出し機構１０を取り付け、また遮断器用床板４と盤本体用床板５との間にアーシングスイッチ操作機構１１を設けることができ、組立作業性が向上する。
【００１４】
また、足部６の下端部は盤本体用床板５に溶接により接合され、足部６の上端部は遮断器用床板４に溶接により接合されているので、足部６、盤本体用床板５及び遮断器用床板４は、簡単に、かつ強固に結合される。
また、筐体１の側面板１２は、足部６にリベットにより締結されているので、側面板１２は足部６に簡単に、かつ強固に結合される。
また、盤本体用床板５は、筐体１の底板を兼ねているので、部材量が低減され、コストが低減される。
【００１５】
実施の形態２．
図７はこの発明の実施の形態２の閉鎖配電盤を示す要部正面図（但し、正面扉は省略されている）、図８は図７の配電盤本体２０を示す正面図、図９は図７の筐体２１の部分正面図、図１０は図７の筐体２１をＸ−Ｘ線に沿って切断したときの矢視断面図である。
この実施の形態では、平板状の盤本体用床板２２を有する配電盤本体２０が、筐体２１の底板２３に固定されている。
図１１は、図９の筐体２１をＸＩ−ＸＩ線に沿って切断したときの矢視断面図であり、側面板２４の前面部及び背面部では、それぞれコの字形状に折曲されている。
図１２は図１１の筐体２１を矢印Ａの方向（閉鎖配電盤の正面側の方向）から視たときの図、図１３は図１２の底板２３をＸＩＩＩ−ＸＩＩＩ線に沿って切断したときの矢視断面図であり、側面板２４の下部で、前面部、背面部及び側面部でＬの字形状に折曲された底板２３の両側部とリベットにより接合されている。
また、側面板２４の上部で、前面部、背面部及び側面部でＬの字形状に折曲された天板の両側部とリベットにより接合されている。
【００１６】
実施の形態１では、前面部及び背面部でＬの字形状に折曲された盤本体用床板５が筐体１の底板を兼用していたのに対して、この実施の形態２では、平板状の盤本体用床板２２を有する配電盤本体２０が、筐体２１の底板２３に固定されている点で相違がある。
その他の構成は、実施の形態１と同様であり、実施の形態１と同様に、筐体２１を組み立てる前に、広いスペースで遮断器用床板４に遮断器挿入／引出し機構１０を取り付け、また遮断器用床板４と盤本体用床板５との間にアーシングスイッチ操作機構１１を設けることができ、組立作業性が向上する。
【図面の簡単な説明】
【００１７】
【図１】この発明の実施の形態１の閉鎖配電盤を示す要部正面図である。
【図２】図１の配電盤本体を示す正面図である。
【図３】図２の配電盤本体をＩＩＩ−ＩＩＩ線に沿って切断したときの矢視断面図である。
【図４】図２の盤本体用床板をＩＶ−ＩＶ線に沿って切断したときの矢視断面図である。
【図５】図４の足部をＶ−Ｖ線に沿って切断したときの矢視断面図である。
【図６】図１の足部及び側面板をＶＩ−ＶＩ線に沿って切断したときの矢視断面図である。
【図７】この発明の実施の形態２の閉鎖配電盤を示す要部正面図（但し、正面扉は省略されている）である。
【図８】図７の配電盤本体を示す正面図である。
【図９】図７の筐体を示す要部正面図である。
【図１０】図７の筐体をＸ−Ｘ線に沿って切断したときの矢視断面図である。
【図１１】図９の筐体の側面板をＸＩ−ＸＩ線に沿って切断したときの矢視断面図である。
【図１２】図１１の筐体を矢印Ａの方向から視たときの図である。
【図１３】図１２の底板をＸＩＩＩ−ＸＩＩＩ線に沿って切断したときの矢視断面図である。
【符号の説明】
【００１８】
１，２１  筐体、２，２０  配電盤本体、３  遮断器、４  遮断器用床板、５，２２  盤本体用床板、５ａ  第１の床板部、５ｂ  第２の床板部、６  足部、６ａ  第１の片部、６ｂ  第２の片部、７  レール、８  遮断器室扉インターロックレバー、９  移動操作用ハンドル、１０  遮断器挿入／引出し機構、１１  アーミングスイッチ操作機構、１２，２４  側面板、１３  背面板、２３  底板。
【図１】
2006087202.tif 000003
【図２】
2006087202.tif 000004
【図３】
2006087202.tif 000005
【図４】
2006087202.tif 000006
【図５】
2006087202.tif 000007
【図６】
2006087202.tif 000008
【図７】
2006087202.tif 000009
【図８】
2006087202.tif 000010
【図９】
2006087202.tif 000011
【図１０】
2006087202.tif 000012
【図１１】
2006087202.tif 000013
【図１２】
2006087202.tif 000014
【図１３】
2006087202.tif 000015